(57)【要約】      （修正有）【課題】鉄質物もしくは書類等の非鉄質物を吸着もしくは粘着させるのに用いる粘着及び磁石吸着作用を兼ね備えた片材構造を提供する。【解決手段】粘着及び磁性吸着作用を兼ね備えた片材構造は、鉄質物もしくは非鉄質物に粘着したり磁性吸着するという条件を兼ね備え、構造が簡単、操作が便利であるという効果を持つものである。それは、一つの磁性層20と粘着層30を備えた片体ユニット10を含み、該磁性層20と粘着層30はそれぞれ、一つの第一磁性面21と一つの第一粘着面31、及び互いが全体構造として複合する第二面22、32を備えている。一つの図案もしくは文字部分40は、該磁性層20の第一磁性面21もしくは第二面22上に配置され、並びに、この片体ユニット10は、その他磁石物とメモ、備忘録などの物件を該磁性層20上もしくは粘着層30上かを選択吸着できるものである。【選択図】図２
0003134028.tif 000002
【実用新案登録請求の範囲】
【請求項１】
粘着及び磁性吸着作用を兼ね備えた片材構造において、一つの磁性層と粘着層を備える片体ユニットを含み、該磁性層と粘着層はそれぞれ、一つの第一磁性面と一つの第一粘着面、及び相互複合して全体構造を形成する第二面を備えており、これら片体ユニットの第一粘着面は、繰り返し粘着したり取り外せる物品であるという特徴を備え、第一磁性面は、鉄質性物体に吸着する特性を備えることを特徴とする粘着及び磁石吸着作用を兼ね備えた片材構造。
【請求項２】
前記一つの図案もしくは文字部分は、磁性層上に配置もしくは印刷されることを特徴とする請求項１記載の粘着及び磁石吸着作用を兼ね備えた片材構造。
【請求項３】
前記図案もしくは文字部分は、磁性層の上にエンボス加工することも可能であることを特徴とする請求項２記載の粘着及び磁石吸着作用を兼ね備えた片材構造。
【請求項４】
前記図案もしくは文字部分は、第一磁性面上に配置することを特徴とする請求項２もしくは請求項３記載の粘着及び磁石吸着作用を兼ね備えた片材構造。
【請求項５】
前記図案もしくは文字部分は、磁性層の第二面上に配置することを特徴とする請求項２もしくは請求項３記載の粘着及び磁石吸着作用を兼ね備えた片材構造。
【請求項６】
前記図案もしくは文字部分は、磁性層の第一磁性面及び第二面上に配置することを特徴とする請求項２もしくは請求項３記載の粘着及び磁石吸着作用を兼ね備えた片材構造。
【請求項７】
前記粘着層は、粘着剤を塗布、圧縮成形して形成することを特徴とする請求項１記載の粘着及び磁石吸着作用を兼ね備えた片材構造。
【請求項８】
前記粘着剤は、酢酸ビニルアクリル樹脂共重合体乳液(PR-POLYSUL DM-58)、PPR等の材料の内の一つもしくは一部の低粘着性ポリマーを含むことを特徴とする請求項７記載の粘着及び磁石吸着作用を兼ね備えた片材構造。
【請求項９】
前記第一磁性面は、一つの鉄質物物体上に直接吸着し、一つの磁石物を組み合わせて、文書や資料を該第一磁性面上に固定することを特徴とする請求項１記載の粘着及び磁石吸着作用を兼ね備えた片材構造。
【請求項１０】
前記第一粘着面は、一つの非鉄質性物体上に直接付着でき、前述した粘着層にはまた、文書や資料をその第一粘着面上に直接固定できることを特徴とする請求項１記載の粘着及び磁石吸着作用を兼ね備えた片材構造。
【請求項１１】
前記磁性層の第一磁性面21もしくはその第二面22には、カラーもしくは色層を配置することを特徴とする請求項１記載の粘着及び磁石吸着作用を兼ね備えた片材構造。
【考案の詳細な説明】
【技術分野】
【０００１】
本考案は、鉄質物もしくは書類等を含む非鉄質物を吸着したり粘着するのに用いる片材構造に関するものであり、特に、磁性吸着層と粘着層を配置する片材組織設計の構造である。
【背景技術】
【０００２】
応用する平たい長形状の物の少なくとも一面には、磁性を設け、鉄質性物体もしくは板体に吸着作用を持たせ、紙もしくは薄い文書を、該磁性吸着メカニズムにより鉄質板や壁に固定する故、使用者は便利に取り外したり見たりできる設計になっているのは、既に公知の技術である。これらの磁性物の多くは、酸化鉄粉末をゴムやプラスチックに混合する複合材料であり、少なくとも一回の着磁加工を行い、パルス電流を異なる分割磁化区を備えた導磁盤に通過させることにより、該基礎材料表面に、異なる磁性の磁極を起こさせる。こうして、靭性を備え、相互吸着するか鉄質材料に吸着する（被吸着物）磁性商品が形成される。これらの磁性商品の背面もしくは別の一面には、商標もしくは広告図案や文字を印刷することができる。これらはまた、しおりや文書定位等に用いることができる。例えば、第92220919号「磁性吸着式文書クリップの改良構造」、第92220262号「磁石片型しおりの構造改良」特許案等により、典型的な実施例を提供している。
【０００３】
文書定位に応用されている磁性商品に関するものにおいて、使用者は、磁性物によって紙や薄い文書を非鉄質物体もしくは板体上に固定できず、また前述した紙、文書もまたこれらの磁性物上に直接付着させることはできないことが課題である。
使用者は、その他の文書固定方法を採用しなければならず、使用者にとっては、非常に面倒である。単純に粘着特性を持つテープやそれに類似する物を使って文書を固定する場合、これらの固定方式が紙や文書を傷つけるだけでなく、自由に繰り返し使用したり粘着させることもできない。
【０００４】
例えば、パソコン入力する等の特別な使用状況においては、使用者が見る為に、パソコンモニター上やモニターに近い箇所に磁性物を固定するのが難しい。このような状況において、使用者は、該入力する文書や資料を挟む為にその他の固定器具（文書クリップ等）を使用しなければならない。これらの状況は、磁性商品の応用範囲を考えた場合、理想的でないものである。
【０００５】
主に、上述においては、磁性商品の設計技術方面に関するものを示しており、それらは、技術上に若干の改善を加え、特許を取得している。もし磁性商品の組織構造を再度設計して、その構造を公知のものと異なるものとするなら、その使用形態を変化させることができ、公知のものとは別のものとなる。実際には、それらの応用範囲を拡大することができる。例えば、その構造設計が精巧簡便であるという条件に符合するなら、直接、鉄質物体に固定するか非鉄質物体に固定するかを便利に選択できる。また、これらの磁性商品は更に、その他のメモ、資料、備忘録などを直接付着することができ、尚、これらの課題は、上述した特許案において、まだ開示、公開されていないものである。
【特許文献１】台湾特許第92220919号
【特許文献１】台湾特許第92220262号
【考案の開示】
【考案が解決しようとする課題】
【０００６】
本考案は、公知の文書もしくは資料の固定方式がスペースを取り、自由に繰り返して紙を使用したり粘着することができなく、文書等を傷つけ、操作が面倒であるという問題点を解決するものである。
【課題を解決するための手段】
【０００７】
本考案の主な目的は、粘着及び磁性吸着作用を兼ね備えた片材構造を提供することにあり、同時に、鉄質物もしくは非鉄質物に粘着したり磁性吸着する条件の下、構造が簡単、操作が便利であるという効果を持つ粘着及び磁石吸着作用を兼ね備えた片材構造を提供することにある。それは、一つの磁性層20と粘着層30を備えた片体ユニット10を含み、該磁性層20と粘着層30は、それぞれ一つの第一磁性面21と一つの第一粘着面31、及び相互に複合して全体構造を形成する第二面22、32を備えている。
一つの図案もしくは文字部分40は、該磁性層20の第一磁性面21もしくは第二面22上に配置され、並びに、この片体ユニット10は、その他磁石物60とメモ、備忘録などの物件を該磁性層20上に吸着するか粘着層30上に吸着するかを選択できるものである。
【０００８】
本考案に基づいた粘着及び磁石吸着作用を兼ね備えた片材構造において、該磁性層20は、一つの第一磁性面21を備えており、一つの鉄質性物体80上に直接吸着できる。また、一つの磁石物60を組み合わせて、メモ、備忘録や文書をこれらの磁性層20の第一磁性面21上に固定することができる。
【０００９】
本考案に基づいた粘着及び磁石吸着作用を兼ね備えた片材構造において、該粘着層30は、一つの第一粘着面31を備えており、一つの非鉄質性物体50上に直接付着できる。前述した粘着層30もまた、メモ、備忘録や文書を該粘着層30の第一粘着面31上に直接固定して自由に繰り返し使用できるものである。
【００１０】
本考案が備える新規性、特徴、及びその他目的と効果は、図を組み合わせた下記の詳細説明により御理解いただきたい。
【考案の効果】
【００１１】
以上説明したように、本考案の粘着及び磁石吸着作用を兼ね備えた片材構造は、磁性吸着層と粘着層を設けることを特徴とする。
【考案を実施するための最良の形態】
【００１２】
以下、本発明の実施例について、図面を参照しながら説明する。
【実施例１】
【００１３】
図１に示した、本考案の粘着及び磁性吸着作用を兼ね備えた片材構造は、片体ユニットを備えており、参考番号10によって示している。片体ユニット10は、一つの磁性層20と一つの粘着層30を含む。該磁性層20と粘着層30は、それぞれ一つの第一磁性面21と一つの第一粘着面31、及び各第二面22、32を備えている。
【実施例２】
【００１４】
図２に示した、一つの良好な実施例において、一つの図案もしくは文字部分40は、磁性層20の第一磁性面21もしくは第二面22上に配置もしくは印刷される。前述した図案もしくは文字部分40はまた、磁性層20の第一磁性面21もしくは第二面22上にエンボス加工することも可能である。本考案が採用した実施例においては、磁性層20と粘着層30の第二面22、32は、図１や図２に示したとおり、相互複合し全体構造を形成する。
【００１５】
該粘着層30は、粘着剤を塗布、圧縮成形して形成される。一つの実行可能な実施例において、粘着剤は、例えば、スチレン、オレフィンのホットメルトや、スチレン、オレフィン、アクリル系の溶剤型粘着剤や、アクリル系の水溶性粘着剤などの材料から選択する可能性が高く、それによって、メモ、備忘録、文書などを粘着する。前述の粘着剤は、被粘着物を傷つけない特性を持ち、被粘着物と粘着層30を引き離した後でも、該粘着層30の表面には、前述のメモ、備忘録もしくは文書などの物件のような被粘着物を思いのままに繰り返し粘着できる特性が残っている。粘着剤はまた、低粘着性ポリマーを含ませることが可能である。それは、例えば、アクリロニトリル-塩化ビニリデン共重合体、アクリロニトリル-アクリル酸エチル共重合体、アクリロニトリル-アクリル酸・エステル共重合体、及びアルデヒド樹脂の組み合わせ、チタン化合物、酢酸ビニルアクリル樹脂共重合体乳液(PR-POLYSUL DM-58)、PPR等の材料により構成される。
知っておくべきことは、粘着層30の使用期間に、塵やホコリが粘着した場合、使用者は水によってそれらを直接洗い流すことにより、その粘着性を回復することができる点である。
【実施例３】
【００１６】
図3に示した本考案の別の具体的な実施例３において、片体ユニット10は、一つの磁性層20と一つの粘着層30を含む。該磁性層20と粘着層30は、それぞれ、一つの第一磁性面21と第一粘着面31と、個別の第二面22、32を含む。該図案もしくは文字部分40は、磁性層20の第二面22上に配置もしくは印刷される。
よって、前述した図案もしくは文字部分40は、該磁性層20の第二面22と粘着層30の第二面32の間に包み込まれ、並びに、複合されて一つの全体構造を形成する。
【実施例４】
【００１７】
図４に示した本考案のまた別の実施可能な実施例４において、片体ユニット10は、磁性層20と粘着層30を含む。該磁性層20と粘着層30は、それぞれ一つの第一磁性面21と一つの第一粘着面31、個別の第二面22、32を含む。
該図案もしくは文字部分40は、磁性層20の第二偏心固定孔21と第二面22上に配置もしくは印刷され、並びに、複合されて全体構造を形成する。実施例においては、該粘着層30は、低粘着性ポリマーを選択するのが良好であると考え、それによって、鉄質もしくは非鉄質物体上に自由に繰り返し使用もしくは粘着が可能である。粘着層30もまた、粘着性を失わずに、繰り返して、これらの文書表面を粘着したり取り外したりすることができ、前述の文書類を傷つけることがない。
【００１８】
実際において、該図案もしくは文字部分40を配置する作業には、予定した厚さのUV塗料を磁性層20の第一磁性面21上に塗布することも可能である。該塗料が乾燥した後、業者は、該第一磁性面21上に図案もしくは文字部分40をプレスする。一つの良好な実施例において、該UV塗料は、加熱した後、該磁性層20の第一磁性面21と結晶結合組織を形成する。並びに、一つの磁石物を組み合わせてメモ、備忘録、もしくは文書をこの磁性層20の第一磁性面21上に固定することができる。特記すべきことは、本考案が採用した実施例において、該磁性層20の第一磁性面21もしくはその第二面22にもまた、カラーもしくは色層を配置できる点である。
【００１９】
図５に関して、図２の実施例を選択して説明を行う。該粘着層30の第一粘着面31は、使用者の実際の要求に応じて、非鉄質性物体50上に直接粘着もしくは付着している。一つの磁石物60を組み合わせて、文書もしくは資料70を該磁性層20の第一磁性面21上に固定する。これは、図６に示した状態のとおりである。理解していただきたいのは、該粘着層30には、低粘着性ポリマーを選択する可能性が高く、該非鉄質性物体50上への使用と粘着が自由に繰り返しできることである。また、粘着層30を使用している時、塵やホコリが粘着した場合は、使用者は直接、水で塵やホコリを洗い流すことにより、その粘着性を回復させることができる。
【００２０】
図７に関して、図４の実施例を選択して説明を行う。該磁性層20は、一つの鉄質性物体80上に直接吸着することができる故、該文書もしくは資料70は、直接粘着層30の第一粘着面31上に固定される。これは、図8に示した状態のとおりである。よって、粘着層30は、粘着性を失わずに、それらの文書類の表面を粘着したり取り外したりが繰り返しでき、また、前述した文書類を傷つけることがない。
【００２１】
よって、この片体ユニット10は、文書もしくは資料70を粘着したり吸着したりする効果を持つ他、スペースを取らず、該磁性層20を直接に一つの鉄質性物体80上に吸着できるものである。また、該粘着層30をパソコンモニターやその他類似物品の非鉄質性物体50のいかなる位置上にも直接粘着固定できる。公知の磁性商品の技術における構造組織の設計に改善を加えた本考案は、現場の環境条件や使用者の要求に応じることができ、比較的理想的な使用効果と大きな応用範囲をもたらすものである。
【００２２】
主に、本考案の粘着及び磁性吸着作用を兼ね備えた片材構造における空間形態は、公知のものとは異なり、公知のものにはない機能を備えている。例えば、現有する文書もしくは資料70の固定方式がスペースを取り、自由に繰り返し紙を使用したり粘着することができなく、紙を傷つけ、操作が面倒である等の現状を改善した。同時に、片体ユニット10は、文書もしくは資料70を直接、パソコン周辺の任意の一箇所上のような非鉄質性物体50や鉄質性物体80上に、粘着もしくは吸着できる。使用者が見たり取り外したりするのに便利なように、空間制限を考えて、スペースをできる限り最小にした。また、その他磁石物60に組み合わせてメモや備忘録などを吸着する効果を持たせた。磁性商品業界における制限のある技術の中で、本考案は、非常に大きな進歩性が見られ、十分に実用新案の条件に符合するものである。
【００２３】
但し、上述したものは、本考案の実行可能な実施例を挙げただけであり、本考案の実施範囲を制限するものではなく、本考案の実用新案登録請求の範囲に基づいて為された同等の変化や修飾は全て、本考案の実用新案登録請求範囲に含まれるものとする。
【図面の簡単な説明】
【００２４】
【図１】本考案の実施例１の構造断面見取図である。
【図２】本考案の実施例２の構造断面見取図である。
【図３】本考案の実施例３の構造断面見取図である。
【図４】本考案の実施例４の構造断面見取図である。
【図５】本考案を一つの非鉄質物体上に粘着した実施例見取図である。
【図６】図５の局部構造拡大見取図である。
【図７】本考案を一つの鉄質物体上に粘着した実施例見取図である。
【図８】図７の局部構造拡大見取図である。
【符号の説明】
【００２５】
10           片体ユニット
20           磁性層
21           第一磁性面
22、32   第二面
30           粘着層
31           第一粘着面
40           図案もしくは文字部分
50           非鉄質性物体
60           磁石物
70           文書もしくは資料
80           鉄質性物体
【図１】
0003134028.tif 000003
【図２】
0003134028.tif 000004
【図３】
0003134028.tif 000005
【図４】
0003134028.tif 000006
【図５】
0003134028.tif 000007
【図６】
0003134028.tif 000008
【図７】
0003134028.tif 000009
【図８】
0003134028.tif 000010